(57)【要約】【課題】裏板と透明アクリル板との間に表示物本体を挟み込んでなる表示物を、透明アクリル板が反ってその下端面が浮き上がっていたとしても、スムーズに額縁に入れることができるようにする。【解決手段】上部の横枠における背面壁と該背面壁に連なる受片の一部を省略して上部から表示物の出し入れをするようにする。左右の縦枠と上下の横枠における前面壁を同様に構成する。下部の横枠５における前面壁８を例にとると、背面壁６と平行に延びる部分８ａと、該部分８ａの先端から所定の角度で背面壁６に接近するように傾斜し、背面壁６の先端位置まで延びる傾斜部分８ｂと、該傾斜部分８ｂの先端から該傾斜部分８ｂと逆方向に且つ背面壁６に接近するよう所定の角度に傾斜して延びるガイド傾斜部分８ｃと、該ガイド傾斜部分８ｃの先端から背面壁６と平行して受片７側に向かって延びる部分８ｄとでもって構成する。【選択図】図３
0003136203.tif 000002
【実用新案登録請求の範囲】
【請求項１】
左右の縦枠と上下の横枠とからなり、これら左右の縦枠と上下の横枠は、いずれも背面壁に前面側に向けて直角に表示物の外縁部を受ける受片を連成すると共に、該受片の先端部に前記背面壁との間に表示物を挟持するための前面壁を連成し、更に前記受片の外側に連結枠を連成してなるものであり、これら左右の縦枠と上下の横枠の端部同志をコーナー連結金具をもって接続する額縁であって、上部の横枠における背面壁と該背面壁に連なる受片の一部を省略して上部から表示物の出し入れをするようになし、更に左右の縦枠と上下の横枠における前面壁を、背面壁と平行に延びる部分と、該部分の先端から所定の角度で背面壁に接近するように傾斜し、背面壁の先端位置まで延びる傾斜部分と、該傾斜部分の先端から該傾斜部分と逆方向に且つ背面壁に接近するよう所定の角度に傾斜して延びるガイド傾斜部分と、該ガイド傾斜部分の先端から背面壁と平行して受片側に向かって延びる部分とでもって構成してなることを特徴とする額縁。
【考案の詳細な説明】
【技術分野】
【０００１】
本考案は絵画やポスター等の表示物を掲示するための額縁であって、特に上部から表示物を出し入れするに適した額縁に関するものである。
【背景技術】
【０００２】
絵画やポスター等の表示物を掲示するための額縁は、従来種々のものが案出されている。しかし、従来における額縁は表示物を入れるときにおいて問題点がある。
【０００３】
それは、通常において表示物は裏板と透明アクリル板との間に絵画やポスター等の表示物本体をサンドイッチ状に挟んだ状態となっており、この状態で額縁に収められるが、該表示物を額縁に例えば上部側から入れるとき、従来の額縁は、背面壁との間に表示物を挟持する前面壁における先端部分が、入り込む表示物の進行方向に対して直角となっている。例えば図５に示した特許文献１に記載された額縁１００の如く、背面壁１０１との間に表示物Ｐを挟持する前面壁１０２における先端部分１０２Ａが、入り込む表示物Ｐの進行方向（矢標方向）に対して直角になっている。このため、一番前面側に位置する透明アクリル板（図示せず。）が反って、その下端部が表示物本体及び裏板から浮き上がった状態であると、下端面が前面壁１０２における先端部分１０２Ａに突き当たってストップし、これを一々前面側から下端面全体にわたって手で押しつけながら挿入してやらなければならない。よって表示物をスムーズに入れることができない。
【０００４】
【特許文献１】特開平８−２２４１５１号公報
【考案の開示】
【考案が解決しようとする課題】
【０００５】
本考案は上記の点に鑑みなされたものであって、表示物を額縁に入れるときにおいて、従来におけるよりも一層スムーズに入れることができるようになした額縁を提供しようとするものである。特に額縁を壁面に取り付けた場合、上部側から表示物を入れ換える必要があり、その場合に起こる不都合を解消することができるようになしたものである。
【課題を解決するための手段】
【０００６】
而して、本考案の要旨とするところは、左右の縦枠と上下の横枠とからなり、これら左右の縦枠と上下の横枠は、いずれも背面壁に前面側に向けて直角に表示物の外縁部を受ける受片を連成すると共に、該受片の先端部に前記背面壁との間に表示物を挟持するための前面壁を連成し、更に前記受片の外側に連結枠を連成してなるものであり、これら左右の縦枠と上下の横枠の端部同志をコーナー連結金具をもって接続する額縁であって、上部の横枠における背面壁と該背面壁に連なる受片の一部を省略して上部から表示物の出し入れをするようになし、更に左右の縦枠と上下の横枠における前面壁を、背面壁と平行に延びる部分と、該部分の先端から所定の角度で背面壁に接近するように傾斜し、背面壁の先端位置まで延びる傾斜部分と、該傾斜部分の先端から該傾斜部分と逆方向に且つ背面壁に接近するよう所定の角度に傾斜して延びるガイド傾斜部分と、該ガイド傾斜部分の先端から背面壁と平行して受片側に向かって延びる部分とでもって構成してなることを特徴とする額縁にある。
【考案の効果】
【０００７】
本考案は上記の如き構成であるから、表示物を額縁にその上部側から入れるときにおいて、表示物が額縁における下部の横枠に達したとき、該横枠の前面壁における先端部がガイド傾斜部分となって内向きに傾斜しているから、透明アクリル板の反って浮き上がった下端面を進行につれて該ガイド傾斜部分によって背面壁側に押しつけることができるものである。したがって、裏板と表示物本体と透明アクリル板は密着した一枚の表示物として、スムーズに背面壁と前面壁との間に入り込むものである。
【考案を実施するための最良の形態】
【０００８】
本考案を実施するための最良の形態は、左右の縦枠と上下の横枠とからなり、これら左右の縦枠と上下の横枠は、いずれも背面壁に前面側に向けて直角に表示物の外縁部を受ける受片を連成すると共に、該受片の先端部に前記背面壁との間に表示物を挟持するための前面壁を連成し、更に前記受片の外側に連結枠を連成してなるものであり、これら左右の縦枠と上下の横枠の端部同志をコーナー連結金具をもって接続する額縁であって、上部の横枠における背面壁と該背面壁に連なる受片の一部を省略して上部から表示物の出し入れをするようになし、更に左右の縦枠と上下の横枠における前面壁を、背面壁と平行に延びる部分と、該部分の先端から所定の角度で背面壁に接近するように傾斜し、背面壁の先端位置まで延びる傾斜部分と、該傾斜部分の先端から該傾斜部分と逆方向に且つ背面壁に接近するよう所定の角度に傾斜して延びるガイド傾斜部分と、該ガイド傾斜部分の先端から背面壁と平行して受片側に向かって延びる部分とでもって構成することにある。
【実施例】
【０００９】
以下、本考案の実施例について説明する。
図１は本考案の実施例に係るる額縁の正面図、図２は同背面図、図３は図１中Ａ−Ａ線切断部端面図、図４は図１中Ｂ−Ｂ線断面図である。
【００１０】
図中、１はアルミニウム等の金属からなる額縁である。また、該額縁１は左右の縦枠２、３と上下の横枠４、５とからなるものである。
【００１１】
そしてまた、これら左右の縦枠２、３と上下の横枠４、５は、そのいずれも略同様の構成である。今その内の下部の横枠５を例にとって説明すると、図３に示す如く、背面壁６に前面側に向けて直角に表示物の外縁部を受ける受片７を連成すると共に、該受片７の先端部に前記背面壁６との間に表示物を挟持するための前面壁８を連成し、更に前記受片７の外側に連結枠９を連成してなるものである。そしてまた、これら左右の縦枠２、３と上下の横枠４、５の端部同志をコーナー連結金具１０、１１、１２、１３をもって接続するものである。
【００１２】
そしてまた、本考案にあっては、図４に示す如く、上部の横枠４における背面壁と該背面壁に連なる受片の一部を省略して矢標で示す如く、上部から表示物の出し入れをするようになしている。尚、図４において４Ａは受片、４Ｂは前面壁である。
【００１３】
また、前記左右の縦枠２、３と上下の横枠４、５における前面壁を同様の構成としており、今その内の下部の横枠５を例にとって説明する。即ち、該下部の横枠５における前面壁８を背面壁６と平行に延びる部分８ａと、該部分８ａの先端から所定の角度で背面壁６に接近するように傾斜し、背面壁６の先端位置まで延びる傾斜部分８ｂと、該傾斜部分８ｂの先端から該傾斜部分８ｂと逆方向に且つ背面壁６に接近するよう所定の角度に傾斜して延びるガイド傾斜部分８ｃと、該ガイド傾斜部分８ｃの先端から背面壁６と平行して受片７側に向かって延びる部分８ｄとでもって構成するものである。また、その他図中１４は表示物を示し、該表示物１４は裏板１５と透明アクリル板１６との間に絵画やポスター等の表示物本体１７をサンドイッチ状に挟んでなるものである。
【００１４】
次に本考案の作用について説明する。
図４に示す如く表示物１４を額縁１の上部から入れるときにおいて、表示物１４が下部の横枠５に達したとき、図３に示す如く、一番前面側に位置する透明アクリル板１６が反っていた場合には、該横枠５の前面壁８における先端部がガイド傾斜部分８ｃとなって内向きに傾斜しているから、透明アクリル板１６の浮き上がった下端面を進行につれて該ガイド傾斜部分８ｃによって背面壁６側に押しつけることができるものである。したがって、裏板１５と表示物本体１７と透明アクリル板１６は密着した一枚の表示物として、スムーズに背面壁６と前面壁８との間に入り込むものである。
【図面の簡単な説明】
【００１５】
【図１】本考案の実施例に係る額縁の正面図である。
【図２】図１に示した額縁の背面図である。
【図３】図１中Ａ−Ａ線切断部端面図である。
【図４】図１中Ｂ−Ｂ線断面図である。
【図５】従来の額縁の部分拡大断面図である。
【符号の説明】
【００１６】
１  額縁
２、３  左右の縦枠
４、５  上下の横枠
６  背面壁
７  受片
８  前面壁
９  連結枠
１０、１１、１２、１３  コーナー連結金具
８ａ  背面壁と平行な部分
８ｂ  傾斜部分
８ｃ  ガイド傾斜部分
８ｄ  受片側に向かって延びる部分
【図１】
0003136203.tif 000003
【図２】
0003136203.tif 000004
【図３】
0003136203.tif 000005
【図４】
0003136203.tif 000006
【図５】
0003136203.tif 000007